(57)【要約】【課題】布製広告物の適切なリサイクルを可能とする、新たなリサイクル方法及びリサイクル管理システムを提供することを目的とする。【解決手段】布帛に広告画像が印刷され、利用後の回収を前提として、提供事業者からクライアントに提供された布製広告物を回収し、回収した布製広告物の布帛の状態を、所定の検査基準にしたがい検査し、検査結果に応じて、布製広告物を第１処理（例えば、脱色処理）し、又は、第２処理（例えば、ケミカルリサイクル処理）することとしたものである。【選択図】図１
2010176560.tif 000002
【特許請求の範囲】
【請求項１】
布帛に広告画像が印刷され、利用後の回収を前提として提供された布製広告物を回収し、回収した布製広告物の前記布帛の状態を、所定の検査基準にしたがい検査し、検査した結果、前記布帛の状態に応じ、前記回収した布製広告物を第１処理し、又は、前記回収した布製広告物を第２処理することを特徴とするリサイクル方法。
【請求項２】
布帛に広告画像が印刷され、利用後の回収を前提として提供された布製広告物を識別する識別情報を、データベースに登録する識別情報登録手段と、
前記布製広告物を回収し、回収された布製広告物の前記布帛の状態が、所定の検査基準にしたがい検査された場合、前記回収された布製広告物を識別する識別情報に対応付けて、前記検査の終了を示す検査済情報を取得する検査済情報取得手段と、
前記検査済情報取得手段によって取得された識別情報に一致する、前記データベースに登録された識別情報に対応付けて、前記検査済情報取得手段が取得した前記識別情報に対応付けられた検査済情報を、前記データベースに登録する検査済情報登録手段と、
前記布帛の状態に関する検査結果に応じた所定の処理が実行された場合、前記所定の処理の対象となった前記布製広告物を識別する識別情報に対応付けて、前記所定の処理の終了を示す処理済情報を取得する処理済情報取得手段と、
前記処理済情報取得手段によって取得された識別情報に一致する、前記データベースに登録された識別情報に対応付けて、前記処理済情報取得手段が取得した前記識別情報に対応付けられた処理済情報を、前記データベースに登録する処理済情報登録手段と、を備えることを特徴とするリサイクル管理システム。
【発明の詳細な説明】
【技術分野】
【０００１】
本発明は、布帛に広告画像が印刷された布製広告物のリサイクルに関するものである。
【背景技術】
【０００２】
布帛に、例えば、インクジェット記録装置によって画像を印刷した布製広告物が広く普及している。このような布製広告物は、例えば、多くの人が集まる屋内又は屋外に、所定の期間、設置され、その後、撤去される。
【０００３】
近年、地球環境問題が大きく取り上げられ、各種製品のリサイクルが推進されている。布製品のリサイクルに関し、従来から多くの技術が提案されている。例えば、サーバコンピュータは、繊維製品毎の識別ＩＤを含む製品情報を登録した製品情報ＤＢ（データベース）を備え、回収拠点に設置された端末コンピュータと通信ネットワークを介して接続されるとともに、端末コンピュータは、繊維製品それぞれに付与されている識別用ラベルを読み取り、識別用ラベルから読み取った繊維製品の識別ＩＤをサーバコンピュータへ送信し、サーバコンピュータは、端末コンピュータからの識別ＩＤに応じた繊維製品を製品情報データベースから検索し、検索した繊維製品のリサイクル処理を受け付ける、繊維製品の製造販売から回収再生までを一貫して管理するリサイクル管理システムが提案されている（例えば、特許文献１参照）。
【先行技術文献】
【特許文献】
【０００４】
【特許文献１】特開２００７−２０７０７３号公報
【発明の概要】
【発明が解決しようとする課題】
【０００５】
布製広告物は、所定の期間、所定の場所に設置された後、産業廃棄物として取り扱われ、特定の処理業者によって処理されていた。上述したとおり、近年、各種製品のリサイクルが推進されている。布製広告物も、多くの製品同様、利用後、リサイクルされるべきである。
【０００６】
本発明は、布製広告物の適切なリサイクルを可能とする、新たなリサイクル方法及びリサイクル管理システムを提供することを目的とする。
【課題を解決するための手段】
【０００７】
上記従来の課題に鑑みなされた本発明は、布帛に広告画像が印刷され、利用後の回収を前提として提供された布製広告物を回収し、回収した布製広告物の前記布帛の状態を、所定の検査基準にしたがい検査することとしたものである。
【０００８】
本発明を反映した第１の課題解決手段は、布帛に広告画像が印刷され、利用後の回収を前提として提供された布製広告物を回収し、回収した布製広告物の前記布帛の状態を、所定の検査基準にしたがい検査し、検査した結果、前記布帛の状態に応じ、前記回収した布製広告物を第１処理し、又は、前記回収した布製広告物を第２処理することを特徴とするリサイクル方法である。
【０００９】
これによれば、布製広告物の布帛の状態に応じて、布製広告物を適切にリサイクルすることができる。
【００１０】
また、本発明を反映した第２の課題解決手段は、布帛に広告画像が印刷され、利用後の回収を前提として提供された布製広告物を識別する識別情報を、データベースに登録する識別情報登録手段と、前記布製広告物を回収し、回収された布製広告物の前記布帛の状態が、所定の検査基準にしたがい検査された場合、前記回収された布製広告物を識別する識別情報に対応付けて、前記検査の終了を示す検査済情報を取得する検査済情報取得手段と、前記検査済情報取得手段によって取得された識別情報に一致する、前記データベースに登録された識別情報に対応付けて、前記検査済情報取得手段が取得した前記識別情報に対応付けられた検査済情報を、前記データベースに登録する検査済情報登録手段と、前記布帛の状態に関する検査結果に応じた所定の処理が実行された場合、前記所定の処理の対象となった前記布製広告物を識別する識別情報に対応付けて、前記所定の処理の終了を示す処理済情報を取得する処理済情報取得手段と、前記処理済情報取得手段によって取得された識別情報に一致する、前記データベースに登録された識別情報に対応付けて、前記処理済情報取得手段が取得した前記識別情報に対応付けられた処理済情報を、前記データベースに登録する処理済情報登録手段と、を備えることを特徴とするリサイクル管理システムである。
【００１１】
これによれば、布製広告物のリサイクル状況を適切に管理することができる。
【発明の効果】
【００１２】
本発明によれば、布製広告物の適切なリサイクルを可能とする、新たなリサイクル方法及びリサイクル管理システムを得ることができる。
【図面の簡単な説明】
【００１３】
【図１】本発明に係る実施形態の布製広告物のリサイクルの流れを示す図
【図２】本発明に係る実施形態のリサイクル管理システムを構成するコンピュータの機能ブロックを示す図
【図３】本発明に係る実施形態のリサイクル管理システムによる登録処理を示す図
【図４】本発明に係る実施形態のリサイクル管理システムによるデータベースの登録状態を示す図
【発明を実施するための形態】
【００１４】
本発明を反映した上記課題解決手段を実施するための実施形態について、図面を用いて以下に詳細に説明する。なお、上記課題解決手段は、以下に記載の構成に限定されるものではなく、同一の技術的思想において種々の構成を採用することができる。
【００１５】
（布製広告物のリサイクルシステム）
図１は、布製広告物のリサイクルシステムを説明する図である。このリサイクルシステムは、本実施形態のリサイクル管理システムを含み、また、このリサイクルシステムにおいて、本実施形態のリサイクル方法が実現される。
【００１６】
先ず、布製広告物をクライアントに提供（販売）する提供事業者において、所定の大きさ（面積）の布帛に、例えば、インクジェット記録装置を用いて、広告画像がカラー印刷（染色）され、所望の布製広告物が製作される。なお、利用される布帛素材は、例えば、ポリエステル、ナイロン、アクリル、アセテート、綿であるが、強度のあるポリエステルが好ましい。また、使用される着色剤としては、分散染料、ソルベント染料、酸性染料、反応染料等使用する布帛に染着する着色剤でもよいし、バインダーにて布帛に固着する顔料でもよい。これらの着色剤を溶解もしくは分散させた複数色（シアン（Ｃｙａｎ）、マゼンダ（Ｍａｇｅｎｔａ）、イエロー（Ｙｅｌｌｏｗ）、ブラック（ｂｌａｃＫ）等）のインクが用いられる。
【００１７】
提供事業者で製作された布製広告物は、所定の方法で、クライアントに提供される（矢印Ａ参照）。クライアントは、提供された布製広告物を、所定の場所に所定の期間、設置（利用）し（矢印Ｂ参照）、その後、設置された布製広告物を撤去（回収）する（矢印Ｃ参照）。ここで、提供事業者は、布製広告物が利用された後（設置し、撤去された後）、回収することを前提として、クライアントに布製広告物を提供する。そこで、布製広告物を撤去したクライアントは、再度、提供事業者に布製広告物を、所定の方法で返却する（矢印Ｄ参照）。
【００１８】
提供事業者において、クライアントから返却された設置済の布製広告物の布帛の状態が、所定の検査基準にしたがって検査される。例えば、布製広告物を形成する布帛の消耗（傷み）が、これに関する検査基準に基づき、検査される。また、布帛の種類、インクの種類などの着色条件に基づき、検査される。そして、布帛の状態についての検査結果に応じて、返却された布製広告物の処理方法が第１処理又は第２処理に決定され、決定された処理が、布製広告物に対して実施される。例えば、布帛に傷みがなく、布製広告物を形成する布帛が特定の種類で、特定の種類のインクで印刷されている場合、返却された布製広告物は、第１処理される（矢印Ｅ１参照）。一例を示せば、布帛に傷みがなく、布製広告物を形成する布帛素材がポリエステルで、顔料を分散させたインクで印刷されている場合、返却された布製広告物は、脱色処理される。
【００１９】
これに対し、返却された布製広告物を形成する布帛が特定の種類で、特定の種類のインクで印刷されている場合、返却された布製広告物は、第２処理される（矢印Ｅ２参照）。一例を示せば、返却された布製広告物を形成する布帛素材がポリエステルで、分散染料を分散させたインクで印刷されている場合、返却された布製広告物は、ケミカルリサイクル処理される。
【００２０】
なお、例えば、脱色処理によって脱色された布帛は、布製広告物用の記録媒体として、もしくは異なる用途として、再利用される（矢印Ｆ１参照）。また、例えば、ケミカルリサイクル処理がなされた場合、これによって得られた素材が、例えば、布帛等の繊維製品、樹脂製品、フィルム製品の原料として再利用される（矢印Ｆ２参照）。布製広告物を第１処理するか又は第２処理するかの決定に関し、布帛素材及び着色剤は、第１処理又は第２処理として採用する具体的各処理との関係において、適宜考慮される。第１処理として例示した脱色処理及び第２処理として例示したケミカルリサイクル処理の詳細については、省略する。
【００２１】
（リサイクル管理システム）
次に、上述したリサイクルシステムで利用されるリサイクル管理システムについて説明する。図２は、リサイクル管理システムを構成するコンピュータの機能ブロックを示す図である。コンピュータ１００は、自装置の制御を司る制御部２００と、例えば、ハードディスクによって構成される記憶部３００と、キーボード及びマウスによって構成され、所定のデータの入力インターフェースとして機能する操作部４００と、各種情報を表示するモニタ５００とを含む。制御部２００は、演算処理を実行するＣＰＵ２１０と、各種プログラムを記憶するＲＯＭ２２０と、ＣＰＵ２１０が演算処理を実行する際の作業領域であるＲＡＭ２３０とを含む。また、記憶部３００は、以下に説明する処理を実行するためのアプリケーションプログラム３１０と、このアプリケーションプログラム３１０の実行に基づくデータが登録されるデータベース３２０とを記憶している。
【００２２】
図３は、データベースへの登録処理のフローを示す図である。また、図４は、データベースを示す図である。この処理を介し、提供事業者は、布製広告物のリサイクル状況を管理し、管理された情報をモニタ５００にて確認する。この処理は、操作部４００を介して、ユーザがこの処理の開始を指示した場合に開始される。また、この処理は、制御部２００が、詳細には、ＣＰＵ２１０が、記憶部３００に記憶されているアプリケーションプログラム３１０をＲＡＭ２３０上で実行し、行われるものであり、これによって、例えば、各種データがデータベース３２０に登録される。この処理を実行するに際し、制御部２００は、例えば、操作部４００を介して入力されるデータを取得し、また、図２には図示していないデータ入力インターフェース（例えば、ネットワークインターフェース）を介してデータ（この場合、コンピュータ１００は、所定のネットワークに接続されている。）を取得する。すなわち、制御部２００が、アプリケーションプログラム３１０を実行し、各種データを取得し、取得したデータを利用することで、各種処理が実行され、これによって、各種機能手段が構成される。
【００２３】
この処理を開始した制御部２００は、先ず、所定のインターフェースを介してデータを取得したか否かを判断する（Ｓ１００）。判断の結果、データを取得していない場合（Ｓ１００：Ｎｏ）、データを取得するまで待機する（繰り返し、Ｓ１００を実行する。）。
これに対し、データを取得した場合（Ｓ１００：Ｙｅｓ）、制御部２００は、取得したデータが、ユーザが操作部４００を介して入力した、この処理の終了指示か否かを判断する（Ｓ１０２）。そして、終了指示であると判断した場合（Ｓ１０２：Ｙｅｓ）、この処理を終了する。なお、Ｓ１００で取得したデータが、後述する検査済情報又は処理済情報を含むものである場合、布帛の状態についての検査の終了を示す検査済情報、又は、第１処理もしくは第２処理の終了を示す処理済情報に対応付けて、検査又は第１処理もしくは第２処理の対象となった布製広告物を識別する識別情報も含まれる。
【００２４】
Ｓ１０２で終了指示ではないと判断した場合（Ｓ１０２：Ｎｏ）、制御部２００は、Ｓ１００で取得したデータが、クライアントに提供された布製広告物に付された、布製広告物各々を識別する識別情報であるか否かを判断する（Ｓ１０４）。判断の結果、識別情報でない場合（Ｓ１０４：Ｎｏ）、制御部２００は処理をＳ１０８に移行する。これに対し、識別情報である場合（Ｓ１０４：Ｙｅｓ）、制御部２００は、取得した識別情報をデータベース３２０に登録する（Ｓ１０６）。例えば、取得した識別情報が、データベース３２０に未登録の「ＤＤＤ」である場合（図４参照）、制御部２００は、未登録レコードである「レコード４」に識別情報「ＤＤＤ」を登録する。Ｓ１０６を実行した制御部２００は、処理をＳ１００に戻す。なお、識別情報「ＤＤＤ」が登録された「レコード４」は、識別情報「ＣＣＣ」のみが登録された「レコード３」と同様の登録状態となる。
【００２５】
Ｓ１０８で制御部２００は、Ｓ１００で取得したデータが、識別情報に対応付けられた検査済情報であるか否かを判断する。判断の結果、検査済情報でない場合（Ｓ１０８：Ｎｏ）、制御部２００は処理をＳ１１２に移行する。これに対し、検査済情報である場合（Ｓ１０８：Ｙｅｓ）、制御部２００は、取得した検査済情報をデータベース３２０に登録する（Ｓ１１０）。例えば、取得した検査済情報が、識別情報「ＣＣＣ」が付された布製広告物の布帛の状態についての検査の終了を示す検査済情報である場合、制御部２００は、識別情報「ＣＣＣ」が既に登録された「レコード３」の検査状態に「検査済情報」を登録する。Ｓ１１０を実行した制御部２００は、処理をＳ１００に戻す。なお、検査済情報が登録された「レコード３」は、識別情報「ＢＢＢ」が登録された「レコード２」と同様の登録状態となる。
【００２６】
Ｓ１１２で制御部２００は、Ｓ１００で取得したデータが、識別情報に対応付けられた処理済情報であるか否かを判断する。判断の結果、処理済情報でない場合（Ｓ１１２：Ｎｏ）、制御部２００は処理をＳ１１６に移行する。これに対し、処理済情報である場合（Ｓ１１２：Ｙｅｓ）、制御部２００は、取得した処理済情報をデータベース３２０に登録する（Ｓ１１４）。例えば、取得した処理済情報が、識別情報「ＢＢＢ」が付された布製広告物に対する第１処理又は第２処理の終了を示す処理済情報である場合、制御部２００は、識別情報「ＢＢＢ」が既に登録された「レコード２」の処理状態に「処理済情報」を登録する。Ｓ１１４を実行した制御部２００は、処理をＳ１００に戻す。なお、処理済情報が登録された「レコード２」は、識別情報「ＡＡＡ」が登録された「レコード１」と同様の登録状態となる。
【００２７】
Ｓ１１６で制御部２００は、Ｓ１００で取得したデータに対応する、その他処理を実行する。そして、Ｓ１１６を実行した後、処理をＳ１００に戻し、再度、データを受信したか否かを判断する。
【００２８】
なお、制御部２００は、識別情報を、次のように取得する。例えば、布製広告物が、クライアントに提供された場合、提供された布製広告物を識別する識別情報が、操作部４００を介して入力され、制御部２００は、入力された識別情報を取得する。また、提供された布製広告物を識別する識別情報が、布製広告物をクライアントに出荷した場所に設置された他のコンピュータから、コンピュータ１００を宛先として、ネットワークを介して送信される場合、制御部２００は、これを受信し、識別情報を取得する。
【００２９】
また、制御部２００は、検査済情報及び処理済情報を、操作部４００を介した入力によって取得する。また、制御部２００は、検査場又は処理場に設置された他のコンピュータから送信される検査済情報又は処理済情報を受信し、これらを取得する。
【符号の説明】
【００３０】
１００  コンピュータ
２００  制御装置
３００  記憶部
３１０アプリケーションプログラム
３２０  データベース
【図１】
2010176560.tif 000003
【図２】
2010176560.tif 000004
【図３】
2010176560.tif 000005
【図４】
2010176560.tif 000006